(57)【要約】【課題】フードにオイルパックを簡単に取り付け、取り外しできると共に、オイルパックをしっかりと保持できるレンジフードとする。【解決手段】フード１に取付用溝８７を設け、オイルパック７には取付用フランジ７７を設け、この取付用フランジ７７は前後方向に渡って上下に折曲して下支持面７７ｄと上支持面７７ｅを有し、その下上支持面７７ｄ，７７ｅの上下寸法はフランジの厚さの３倍以上とし、前記取付用溝８７の溝幅を前述の上下寸法と同一とすることで、取付用フランジ７７を取付用溝８７に容易に挿入して簡単に取り付けできると共に、取付用フランジ７７を取付用溝８５で確実に支持できるようにする。【選択図】図４
2014043968.tif 000002
【特許請求の範囲】
【請求項１】
フード３の内部空間３ａの油分をオイルパック７に溜めるようにしたレンジフードであって、
前記オイルパック７は、前後方向に向かう取付用フランジ７７を備え、この取付用フランジ７７をフード３に設けた前後方向に向かう取付用溝８７に前方から挿入して取り付けるようにし、
前記取付用フランジ７７は、前後方向に渡って上下に折曲して上支持面７７ｅと下支持面７７ｄを前後方向に間隔を置いて合計３点以上有し、その上支持面７７ｅと下支持面７７ｄとの上下寸法は当該フランジの厚さの３倍以上とし、
前記取付用溝８７の上内面８７ａと下内面８７ｂの上下方向の寸法である溝幅は、前記上支持面７７ｅと下支持面７７ｄとの上下寸法とほぼ同一としたことを特徴とするレンジフード。
【請求項２】
前記取付用溝８７はほぼ水平で、この取付用溝８７に取付用フランジ７７を挿入することでオイルパック７の上面がほぼ水平となるようにし、
前記取付用溝８７の上内面８７ａにおける前部挿入口８７ｄ寄りに凹部８８を有している請求項１記載のレンジフード。
【請求項３】
前記取付用フランジ７７と取付用溝８７とに、オイルパック７を取り付け完了した状態で相互に係合する突部７８と突部係合部８９を設けた請求項１又は２記載のレンジフード。
【請求項４】
前記フード３の内面板２の少なくとも一部分は水平に対して傾斜し、その傾斜した部分にオイルパック７が挿入可能な取付用開口部２１を形成し、
この取付用開口部２１の左右の開口縁に、ほぼ水平な取付用溝８７を相対向してそれぞれ設け、
オイルパック７の左右両側に取付用フランジ７７をそれぞれ設け、この左右の取付用フランジ７７を左右の取付用溝８７に挿入して取り付けるようにした請求項１又は２又は３記載のレンジフード。
【請求項５】
前記オイルパック７の底面を内面板２の傾斜面と同じ方向に傾斜した傾斜面とし、そのオイルパック７の底面を内面板２とほぼ面一とした請求項４記載のレンジフード。
【請求項６】
オイルパック７の前部に前面フランジ７５を有し、
オイルパック７を取り付け完了した状態で、その前面フランジ７５が取付用開口部２１の前端縁部２２に接して取付用溝８７の前部挿入口８７ｄを閉塞するようにした請求項４記載のレンジフード。
【請求項７】
前記内面板２の内側面にベースカバー保持プレート６０を取付用開口部２１を覆うように取り付け、
前記ベースカバー保持プレート６０の左右両側と、内面板２における取付用開口部２１の左右両側の内側面との間に、前記取付用溝８７を有したベースカバー８をそれぞれ取り付け、
この左右のベースカバー８の取付用溝８７に左右の取付用フランジ７７を挿入してオイルパック７を取り付け、
前記ベースカバー保持プレート６０の排出口６ａをオイルパック７に開口した請求項５又は６記載のレンジフード。
【発明の詳細な説明】
【技術分野】
【０００１】
本発明は、調理によって発生した油煙や蒸気などを屋外などへ排出するレンジフードに関する。
【背景技術】
【０００２】
従来、フードと送風機とフィルタを備え、その送風機を駆動することで調理によって発生した油煙や蒸気などをフィルタを通してフード内に捕集し、排気ダクトを経て屋外に排出するレンジフードが種々提案されている。
かかるレンジフードにおいては、油煙に含まれる油分がフィルタや送風機（ケーシング、ファン）に付着し、流れ落ちるので、フード内に、油分が流れ込む油溜りを設けると共に、その油溜りの下方に、オイルパック（油受け）を、油溜りに流れ込んだ油分が流れ落ちて溜まるように取り付け、油煙に含まれる油分をオイルパックに溜めるようにしている。
例えば、特許文献１に開示されたように、フィルタを取り付けたフィルタ受けに油溜りを形成し、そのフィルタ受けにおける油溜りの左右両側にフックをそれぞれ取り付け、この各フックにオイルパック（油受け）の一対のフランジをそれぞれ載置してオイルパックを取り付けている。
【先行技術文献】
【特許文献】
【０００３】
【特許文献１】特開平３−２８２１４６号公報
【発明の概要】
【発明が解決しようとする課題】
【０００４】
オイルパックに油分が溜まったときには、オイルパックを取り外して溜まった油分を廃棄し、洗浄した後に再び取り付けるので、オイルパックは着脱自在に取り付けることを必要とする。
前述したオイルパックの取り付けであれば、一対のフランジを各フックに沿ってスライドすることで、オイルパックを簡単に取り付け、取り外しできるが、フランジがフックに載置しているだけであるから、オイルパックの取り付けが不安定で、人が不意に触れて意図せずに落下してしまう虞れがある。
【０００５】
本発明の目的は、オイルパックを簡単に取り付け、取り外しできると共に、取り付けた状態でオイルパックをしっかりと保持できるようにしたレンジフードとすることである。
【課題を解決するための手段】
【０００６】
本発明は、フード３の内部空間３ａの油分をオイルパック７に溜めるようにしたレンジフードであって、
前記オイルパック７は、前後方向に向かう取付用フランジ７７を備え、この取付用フランジ７７をフード３に設けた前後方向に向かう取付用溝８７に前方から挿入して取り付けるようにし、
前記取付用フランジ７７は、前後方向に渡って上下に折曲して上支持面７７ｅと下支持面７７ｄを前後方向に間隔を置いて合計３点以上有し、その上支持面７７ｅと下支持面７７ｄとの上下寸法は当該フランジの厚さの３倍以上とし、
前記取付用溝８７の上内面８７ａと下内面８７ｂの上下方向の寸法である溝幅は、前記上支持面７７ｅと下支持面７７ｄとの上下寸法とほぼ同一としたことを特徴とするレンジフードである。
【０００７】
本発明のレンジフードにおいては、前記取付用溝８７はほぼ水平で、この取付用溝８７に取付用フランジ７７を挿入することでオイルパック７の上面がほぼ水平となるようにし、
前記取付用溝８７の上内面８７ａにおける前部挿入口８７ｄ寄りに凹部８８を有しているようにできる。
【０００８】
このようにすれば、オイルパック７を、その取付用フランジ７７が水平に対して斜めとなった斜め姿勢として取付用フランジ７７を前部挿入口８７ｄから取付用溝８７に挿入したとしても、取付用フランジ７７が上内面８７ａの凹部８８に入り込むから、凹部８８によって正規の位置に案内され、取付用フランジ７７を取付用溝８７内にスムーズに挿入できるので、オイルパック７を斜め姿勢としてスムーズに取り付けできる。また、その凹部８８が逃げとなり、挿入角度をより大きく取ることができる。
したがって、オイルパック７を、その取付用フランジ７７がほぼ水平となるようにして前後方向に移動して微調整しながら取り付ける必要がなく、その取付用フランジ７７が斜めとなった姿勢で前後方向に移動して取り付けできるから、オイルパック７を斜め姿勢として下から上に向けて斜めに移動することで取付用フランジ７７を取付用溝８７に挿入でき、オイルパック７の取り付けがより一層簡単である。
【０００９】
本発明のレンジフードにおいては、前記取付用フランジ７７と取付用溝８７とに、オイルパック７を取り付け完了した状態で相互に係合する突部７８と突部係合部８９を設けることができる。
【００１０】
このようにすれば、オイルパック７を取り付け完了したときに、突部７８と突部係合部８９が係合して装着感を得られるので、取り付けする人がオイルパック７を取り付け完了したことを感知できる。
【００１１】
本発明のレンジフードにおいては、前記フード３の内面板２の少なくとも一部分は水平に対して傾斜し、その傾斜した部分にオイルパック７が挿入可能な取付用開口部２１を形成し、
この取付用開口部２１の左右の開口縁に、ほぼ水平な取付用溝８７を相対向してそれぞれ設け、
オイルパック７の左右両側に取付用フランジ７７をそれぞれ設け、この左右の取付用フランジ７７を左右の取付用溝８７に挿入して取り付けるようにできる。
【００１２】
このようにすれば、オイルパック７を取付用開口部２１に入れながら、その取付用フランジ７７を取付用溝８７に挿入することでほぼ水平に取り付けできると共に、取付用溝８７に挿入する際に、内面板２が邪魔にならずに挿入し易いから、オイルパック７の取り付けが簡単である。
【００１３】
本発明のレンジフードにおいては、オイルパック７の底面を内面板２の傾斜面と同じ方向に傾斜した傾斜面とし、そのオイルパック７の底面を内面板２とほぼ面一とすることができる。
【００１４】
このようにすれば、オイルパック７が内面板２から大きく突出しないので、見栄えが良く、また、調理によって発生した油煙や蒸気などの上昇気流の流れを妨げる障害物となることがない。
【００１５】
本発明のレンジフードにおいては、オイルパック７の前部に前面フランジ７５を有し、
オイルパック７を取り付け完了した状態で、その前面フランジ７５が取付用開口部２１の前端縁部２２に接して取付用溝８７の前部挿入口８７ｄを閉塞するようにできる。
【００１６】
このようにすれば、オイルパック７を取り付け完了した状態で、取付用開口部２１の前端縁部２２、取付用溝８７の前部挿入口８７ｄを閉塞できるから、見栄えが良い。
【００１７】
本発明のレンジフードにおいては、前記内面板２の内側面にベースカバー保持プレート６０を取付用開口部２１を覆うように取り付け、
前記ベースカバー保持プレート６０の左右両側と、内面板２における取付用開口部２１の左右両側の内側面との間に、前記取付用溝８７を有したベースカバー８をそれぞれ取り付け、
この左右のベースカバー８の取付用溝８７に左右の取付用フランジ７７を挿入してオイルパック７を取り付け、
前記ベースカバー保持プレート６０の排出口６ａをオイルパック７に開口することができる。
【００１８】
このようにすれば、フード３の内部空間３ａ内の油分が排出口６ａからオイルパック７に落下して溜めることができる。
【発明の効果】
【００１９】
本発明によれば、取付用溝８７の溝幅が取付用フランジ７７の厚さの３倍以上、好ましくは５倍以上であるから、取付用フランジ７７を取付用溝８７に挿入、抜き出し易く、オイルパック７を簡単に取り付け、取り外しできる。
しかも、取付用フランジ７７の上支持面７７ｅ、下支持面７７ｄが取付用溝８７の上内面８７ａ、下内面８７ｂに接して３点以上で支持されるから、ガタつくことなしにしっかりとオイルパック７を支持できる。
【図面の簡単な説明】
【００２０】
【図１】本発明の実施の形態を示すレンジフードの全体斜視図である。
【図２】図１のＡ−Ａ断面図である。
【図３】図１のＢ−Ｂ断面図である。
【図４】図２のオイルパック取付部の拡大図である。
【図５】図３のオイルパック取付部の拡大図である。
【図６】図４の平面図である。
【図７】オイルパックの斜視図である。
【図８】オイルパックの側面図である。
【図９】ベースカバーの上視斜視図である。
【図１０】ベースカバーの正面図である。
【図１１】ベースカバーの下視斜視図である。
【発明を実施するための形態】
【００２１】
図１、図２、図３に示すように、フード本体１と、このフード本体１の底面となる内面板２でフード３としてある。このフード３はフード本体１と内面板２で囲まれた内部空間３ａと、下方に開口した凹陥部３ｂを有している。
内面板２は内部空間３ａと凹陥部３ｂを連通する開口部２０を有し、その開口部２０にフィルタ４が取り付けてある。
フード３の内部空間３ａに送風機５が設けてある。
この送風機５はケーシング５０内にファン５１を回転自在に設けると共に、ケーシング５０に取り付けたモータ５２でファン５１を回転するもので、そのケーシング５０の吸込口５３がフード３の内部空間３ａに開口し、吐出口５４が図示しない排気ダクトで屋外に連通している。
そして、ファン５１を回転することで、調理によって発生した油煙や蒸気などが開口部２０、フィルタ４を通って内部空間３ａに流入し、吸込口５３から吐出口５４に吐出されて屋外に排出される。
【００２２】
前述のように油煙や蒸気がフード３内を流通することで、その油煙に含まれた油分がフィルタ４、ケーシング５０、ファン５１等に付着する。
そして、付着した油分はフード３の内部空間３ａの下部に設けたベースカバー保持プレート６０の排出口６ａからオイルパック７に落下して溜まる。
このオイルパック７は内面板２の取付用開口部２１に着脱自在に取り付けてある。
【００２３】
内面板２の内側面（上面）にはベースカバー保持プレート６０が取付用開口部２１を覆うように取り付けられている。
ケーシング５０の下方に第１の油受けプレート６１が設けてあると共に、内面板２の内側面に第２の油受けプレート６２が設けてある。
そして、ケーシング５０、ファン５１に付着した油分は第１の油受けプレート６１を経て第２の油受けプレート６２からベースカバー保持プレート６０の排出口６ａに流れる。
フィルタ４に付着した油分は第２の油受けプレート６２からベースカバー保持プレート６０の排出口６ａに流れる。つまり、内部空間３ａの油分は排出口６ａからオイルパック７に落下して溜めることができる。
【００２４】
次に、オイルパック７の取り付けを説明する。
内面板２は、図２に示すように、前後方向に向けて前部が後部よりも高くなるように水平に対して斜めとなった傾斜部２ａと、この傾斜部２ａの前部と連続して前方に向かう前横向部２ｂと、この前横向部２ｂの前部と連続して斜め下方に向かう前縦向部２ｃを有する断面形状の板状で、フード本体１の左右の側面板１０とで下向きに開口した凹陥部３ｂを形成している。
図１に示すように、傾斜部２ａの前部寄りに左右一対の開口部２０が形成され、後部寄りの左右方向中央に取付用開口部２１が形成されている。
この取付用開口部２１は平面形状が矩形状で、その左右の開口縁の前部寄りに切欠き２１ａが形成され、前部寄りの左右方向の寸法が大きくしてある。
前述の説明で、前後方向とはレンジフードに人が接近、離隔する方向で、前部とはレンジフードを使用する人が立つ側で、後部はその反対側、例えば壁側である。
左右方向とは前後方向と直交する方向である。
【００２５】
図４に示すように、内面板２の取付用開口部２１の前端縁部２２は上に向けてくの字形状に折曲し、後端縁部２３は垂直に立ち上がっている。
図５に示すように、内面板２の取付用開口部２１の左右端縁部２４は上向きに折曲し、後述するベースカバーの位置決め部としてある。
図４〜図６に示すように、ベースカバー保持プレート６０は上面板６３と、この上面板６３の後部と連続し下向きの後面板６４で、ほぼ鉤形状で、その後面板６４の下部に連続した後取付片６５を内面板２の取付用開口部２１よりも後部寄りに固着すると共に、上面板６３の前部に連続した前取付片６６を取付用開口部２１の前端縁部２２に接してある。
【００２６】
ベースカバー保持プレート６０の上面板６３は、前後方向の中間部が両側部よりも低くなったほぼ水平で、その前後方向の中間部に開口６７が形成され、その開口６７が前述の排出口６ａである。
【００２７】
この上面板６３は内面板２よりも上方に位置し、その上面板６３の左右両側部は、図５に示すように内面板２の取付用開口部２１の左右端縁部２４よりも内方に突出している。
そして、ベースカバー保持プレート６０の左右両側部にベースカバー８がそれぞれ取り付けてあり、このベースカバー８が内面板２の取付用開口部２１の内側面の左右端縁部寄りに接している。この左右のベースカバー８に渡ってオイルパック７が取り付けてある。
【００２８】
オイルパック７は、図７、図８に示すように、底面板７０と、この底面板７０の後部に上向きに設けた後面板７１と、底面板７０の左右端部に上向きに設けた側面板７２で上面が開口した平面矩形で側面形状が三角形の箱状で、各側面板７２の上面に沿って側面フランジ７３が左右側方に突出してそれぞれ設けてあると共に、後面板７１の上面に沿って後面フランジ７４が後方に突出して設けてある。
底面板７０の前部に前面フランジ７５が前方に突出して設けてある。
後面板７１の左右方向中間部には凹部７６が形成され、その凹部７６に手の指を掛けて前方に移動し易くしてある。
【００２９】
前述した前面フランジ７５の左右両側部と側面フランジ７３と後面フランジ７４の左右両側部は前後方向に連続して取付用フランジ７７を形成している。
そして、側面フランジ７３は、一直線に対して前後方向に４段階に折曲し、最前部７３ａと最後部７３ｂがほぼ同一高さで、中間部７３ｃが最前部７３ａ、最後部７３ｂよりも高い。この高さの差はフランジの厚さよりも大きい。厚さは３倍以上、好ましくは厚さの５倍以上である。
側面フランジ７３の最前部７３ａよりも前面フランジ７５が高くなるように傾斜し、この前面フランジ７５と中間部７３ｃがほぼ同一高さである。
側面フランジ７３の最後部７３ｂは後面フランジ７４と同一高さである。
【００３０】
このようであるから、前述の取付用フランジ７７は、前部７７ａと後部７７ｂが低く、中間部７７ｃが高い前後方向に渡って上下に折曲したほぼ波形状で、その前後の下支持面７７ｄと中間の上支持面７７ｅとの上下寸法Ｈは、そのフランジの厚さの３倍以上、好ましくは５倍以上となっている。
【００３１】
側面フランジ７３の最後部７３ｂ、つまり取付用フランジ７７の後部寄りに突部７８が、下面よりも下方に突出して設けてある。
この突部７８はフランジを打ち出し変形した突起でも良いし、リベットやビス等を固着したものでも良い。
【００３２】
前記ベースカバー８は図９〜図１１に示すように、前後方向に向かう上面部８０と、この上面部８０の後部と連続し下方に向かう後面部８１と、この上面部８０、後面部８１の左右一方端と連続し下方に向かう側面部８２を有した本体８３と、上面部８０よりも上方に突出した上フランジ８４、後面部８１よりも後方に突出し上フランジ８４と連続した後フランジ８５を備え、上面部８０と後面部８１は直角で、側面部８２の下面８２ａは上面部８０に対して斜めで、本体８３は側面形状が略三角形である。
【００３３】
ベースカバー８の上面部８０の上面と後面部８１の後面が鉤形状となり、この形状が図９に仮想線で示すようにベースカバー保持プレート６０の上面板６３の下面と後面板６４の前面で成す鉤形状と略同一で、かつ同一寸法であるから、ベースカバー８の本体８３をベースカバー保持プレート６０の左右両側部に挿入できる。
そして、上面部８０の上面、後面部８１の後面に係止片８６がそれぞれ設けてあり、前述のように本体８３をベースカバー保持プレート６０に挿入することで、その係合片８６がベースカバー保持プレート６０の上面板６３、後面板６４の係合穴６３ａ，６４ａにそれぞれ係合し、上フランジ８４、後フランジ８５がベースカバー保持プレート６０の左右の端面に接する。
なお、左右のベースカバー８は左右対称の形状である。
【００３４】
このようであるから、ベースカバー保持プレート６０の左右両側部に左右のベースカバー８を簡単に取り付けできる。
そして、ベースカバー８を取り付けたベースカバー保持プレート６０を内面板２に取り付けることで、図４、図５に示すように後面部８１の下面、側面部８２の下面が内面板２の内側面に接すると共に、側面部８２の左右面が取付用開口部２１の左右端縁部２４にそれぞれ接して左右方向の位置決めをする。
【００３５】
ベースカバー８の本体８３の上部寄りに、前後方向に向かう取付用溝８７が左右他方に開口して形成してある。
この取付用溝８７は、上内面８７ａと下内面８７ｂと縦面８７ｃで左右他方に向けて開口した断面ほぼコ字形状で、その上内面８７ａと下内面８７ｂとの間の上下寸法、つまり溝幅Ｈ１が前述のオイルパック７の取付用フランジ７７の厚さよりも大きく、上下支持面７７ｅ，７７ｄとの上下寸法Ｈとほぼ同一である。
【００３６】
取付用溝８７は前部に挿入口８７ｄを有し、後部は閉塞していると共に、その前部挿入口８７ｄの開口幅Ｈ２は前述の溝幅Ｈ１よりも大きく、後部８７ｅの溝幅Ｈ３は小さくしてある。
取付用溝８７は、上内面８７ａの前端部が下内面８７ｂの前端部よりも前方に位置し、前部挿入口８７ｄは垂直ではなく斜めである。
上内面８７ａの前部挿入口８７ｄ寄りには前後方向に向けて円弧状に湾曲した凹溝８８を有し、前述したオイルパック７の取付用フランジ７７を斜めの姿勢で前部挿入口８７ｄから挿入することで凹溝８８に入り込むようにしてある。
【００３７】
取付用溝８７の後部寄りには突部係合部８９が設けてあり、この突部係合部８９は突部７８の突出方向に位置し、突出方向に凹んだ形状である。オイルパック７の取付用フランジ７７を取付用溝８７内に挿入して取付完了すると、図４に示すように突部７８が突部係合部８９に係合し、オイルパックの取付者に装着感を与え、オイルパック取付完了を感知できるようにしてある。
【００３８】
前述のように、取付用フランジ７７の厚さが取付用溝８７の溝幅Ｈ１よりも小さいので、その取付用フランジ７７を取付用溝８７に挿入し易いと共に、抜き出し易いから、オイルパック７を簡単に取り付け、取り外しできる。
しかも、オイルパック７を取り付けた状態では、図４に示すように、取付用フランジ７７の前後２ヶ所の下支持面７７ｄが取付用溝８７の下内面８７ｂに接すると共に、前後中間の上支持面７７ｅが取付用溝８７の上内面８７ａに接するので、オイルパック７をガタつくことなく、しっかりと保持でき、人が不意に触れて意図せずに落下してしまう虞れがない。
【００３９】
取付用溝８７は、内部空間３ａに設けられ、その前部（前部挿入口８７ｄ）が取付用開口部２１の前部開口縁にほぼ同一高さとして位置し、後部は後部開口縁の上方に位置するようにほぼ水平である。
そして、オイルパック７を取り付けた状態では、その上面、つまり取付用フランジ７７をほぼ水平となるようにしてある。
オイルパック７を取り付けるときには取付用フランジ７７をほぼ水平としてオイルパック７を前部から後部に向けて移動してオイルパック７を取付用開口部２１に入れながら取付用フランジ７７を取付用溝８７に挿入するが、前述のように取付用溝８７の溝幅Ｈ１が取付用フランジ７７の厚さの３倍以上、好ましくは５倍以上であること、その取付用溝８７の上内面８７ａの前部挿入口８７ｄ寄りに凹部８８を有していることにより、オイルパック７を図４に仮想線で示すように取付用フランジ７７が水平に対して斜めとなる斜め姿勢として取付用フランジ７７を前部挿入口８７ｄから凹部８８に入り込むようにして挿入し、その後は上内面８７ａをガイドとしてオイルパック７を後方に向けて移動することで、オイルパック７を取り付けできる。
したがって、オイルパック７を簡単に取り付けることで、取付用フランジ７７がほぼ水平となるように取り付けできる。
【００４０】
この実施の形態では、取付用溝８７の前部挿入口８７ｄを垂直ではなく斜めであるから、オイルパック７を前述のように斜めとしてより一層取り付けし易い。
【００４１】
この実施の形態では、側面部８２の上部に、上面部８０の下面８０ａに沿って前後方向に向かう溝８２ｂを形成し、この溝８２ｂと上面部８０とで前述の取付用溝８７を形成している。
そして、上面部８０の下面８０ａが上内面８７ａで、溝８２ｂの上面が下内面８７ｂである。
【００４２】
後面部８１の上部に溝８１ａが左右方向に向けて形成してある。
この溝８１ａの左右方向端部は前述の溝８２ｂと連続して取付用溝８７の後部８７ｅを形成している。取付用溝８７の後部８７ｅによって、オイルパック７がベースカバー８に嵌まる直前に、前記後部８７ｅの前方に設けた傾斜面によって正しい位置へ案内されると共に、取付時のガタつきをさらに抑えることができる。
【００４３】
そして、オイルパック７を前述のようにして取り付けすると、後面フランジ７４が後面部８１の溝８１ａに挿入してオイルパック７の後部を左右のベースカバー８で支持する。
また、前面フランジ７５がベースカバー保持プレート６０の前取付片６６を介して取付用開口部２１の前端縁部２２に接してベースカバー８の前部を内面板２で支持する。これにより、取付用開口部２１の前端縁部２２、取付用溝８７の前部挿入口８７ｄをオイルパック７で閉塞するから、見栄えが良い。
しかも、オイルパック７の底面板７０と内面板２の下面がほぼ面一となるから、オイルパック７が内面板２の下面から大きく突出しないので、見栄えが良く、また、調理によって発生した油煙や蒸気などの上昇気流の流れを妨げる障害物となることがない。
【００４４】
また、オイルパック７の後面部７１が取付用開口部２１の後端縁部２３に接して前後方向の位置決めをする。
この状態で、前述の後端縁部２３と後面部７１の凹部７６との間に空間が形成されるから、その空間に人の手の指を入れてオイルパック７を前方に移動することで取り外しできる。
【００４５】
前述の実施の形態では、調理によって発生した油煙や蒸気などが内面板２に沿って上昇気流として流れるように内面板２を傾斜していると共に、オイルパック７が内面板２から大きく突出して前述の上昇気流の流れを妨げる障害物とならないようにオイルパック７を取り付ける取付用溝８７を内面板２よりも上方の内部空間３ａにほぼ水平として設け、内面板２の取付用開口部２１からオイルパック７を入れて取付用フランジ７７を取付用溝８７に挿入して取り付けている。
このために、オイルパック７の取付用フランジ７７を内面板２に沿って移動して取付用フランジ７７を取付用溝８７に挿入することができず、オイルパック７を作業者が手で持ってほぼ水平として取付用開口部２１に入れながら取付用フランジ７７を取付用溝８７に挿入して取り付けることになる。
【００４６】
しかしながら、前述のようにしてオイルパックを取り付ける作業は大変やりづらいので、この実施の形態では、取付用溝８７の溝幅Ｈ１を取付用フランジ７７の厚さの３倍以上として取付用フランジ７７を取付用溝８７に挿入し易くすると共に、取付用溝８７の上内面８７ａの前部挿入口８７ｄ寄りに凹溝８８を形成してオイルパック７を水平に対して斜めの姿勢として取付用フランジ７７を取付用溝８７に挿入できるようにすることで、オイルパック７を取り付けし易くしている。
【００４７】
前述の実施の形態では、オイルパック７が金属製で、ベースカバー８が樹脂製であるから、オイルパック７の取付用フランジ７７がベースカバー８の取付用溝８７に沿ってスライドするときに、金属接触音が生じることがない。
【００４８】
前述の実施の形態では、ベースカバー８をベースカバー保持プレート６０の左右両側に取り付け、そのベースカバー保持プレート６０を内面板２に取り付けることでベースカバー８を取付用開口部２１の左右縁に沿って前後方向に取り付けしたが、これに限ることはなく、ベースカバー８を内面板２の取付用開口部２１の左右縁に沿って直接取り付けても良い。
また、取付用溝８７を内面板２の取付用開口部２１の左右縁に、その内面板２と一体的に形成しても良い。
また、突部７８を取付用フランジ７７の上面よりも上方に突出して設け、突部係合部８９を下向きに開口した凹部としても良い。
また、突部係合部８９は取付用溝８７の後部寄りに位置し、突部７８は取付用フランジ７７の後部寄りに位置するとは限らない。例えば、突部７８は取付用フランジ７７上であればどこでも良く、取付用フランジ７７の前方寄り、取付用フランジ７７の中間部、後面フランジ７４に設けても良い。
【００４９】
オイルパック７の側面形状は三角形に限らない。例えば、四角形、台形、菱形、半円型等でも良い。
オイルパック７の取付用フランジ７７は側面フランジ７３のみで後面フランジ７４はなしでも良い。
オイルパック７は金属製に限らない。例えば、紙製、ビニール製、ガラス製、樹脂製等でも良い。
ベースカバー８は樹脂製に限らない。例えば、紙製、ビニール製、ガラス製、金属製等でも良い。
【符号の説明】
【００５０】
１…フード本体、２…内面板、３…フード、３ａ…内部空間、４…フィルタ、５…送風機、６ａ…排出口、７…オイルパック、８…ベースカバー、２１…取付用開口部、２２…前端縁部、６０…ベースカバー保持プレート、７４…後面フランジ、７７…取付用フランジ、７７ｄ…下支持面、７７ｅ…上支持面、８７…取付用溝、８７ａ…上内面、８７ｂ…下内面、８７ｄ…前部挿入口。
【図１】
2014043968.tif 000003
【図２】
2014043968.tif 000004
【図３】
2014043968.tif 000005
【図４】
2014043968.tif 000006
【図５】
2014043968.tif 000007
【図６】
2014043968.tif 000008
【図７】
2014043968.tif 000009
【図８】
2014043968.tif 000010
【図９】
2014043968.tif 000011
【図１０】
2014043968.tif 000012
【図１１】
2014043968.tif 000013